(57)【要約】【課題】  無風時でも常時揺動して運転者の注意を確実に喚起することができ、反射面が揺動に伴って多様に変化することにより注意喚起効果に優れており、また外部からの給電が不要で設置の自由度がある視線誘導標を提供する。【解決手段】  道路に沿って立設する支柱１に設ける防水型ケーシング２は前、後面に透光窓が８が形成してある。ケーシング２内には揺動支持体１１が支持ピン１７により軸支してあり、揺動支持体１１に反射体揺動機構１８が搭載してある。反射体揺動機構１８は揺動支持体１１に軸支され、透光窓８に対面する反射面に反射シート１９Ｃが貼着してある反射体１９と、反射体１９を揺動する駆動部とから構成してある。駆動部はケーシング１に設けた太陽電池２２を電源として自己起動するようになっている。【選択図】  図２
2005163359.tif 000002
【特許請求の範囲】
【請求項１】
道路に沿って所定の間隔で立設する支柱と、該支柱に設けられ、少なくとも前面側に透光窓が設けてある防水型ケーシングと、該ケーシング内に揺動可能に設けた揺動支持体と、該揺動支持体に搭載され、給電により自己起動して前記透光窓に対面する反射体を揺動させる駆動部を備えた反射体揺動機構と、該反射体揺動機構を駆動する電源とから構成してなる反射式視線誘導標。
【請求項２】
前記反射体は、前記透光窓に対面する反射面を反射シート又はホログラムシートにしてあることを特徴とする請求項１記載の反射式視線誘導標。
【請求項３】
前記電源は、太陽電池であることを特徴とする請求項１記載の反射式視線誘導標。
【発明の詳細な説明】
【技術分野】
【０００１】
本発明は、道路に沿って複数設置することにより自動車等の走行方向を誘導して交通の安全を確保するための視線誘導標に関し、特に自動車等のヘッドライトを反射して自動車等を誘導する反射式視線誘導標に関する。
【背景技術】
【０００２】
従来、反射式視線誘導標には、道路に沿って立設した支柱の上部に反射体を固着した固定式視線誘導標、支柱に設けられ、反射体が風力により揺動する風力揺動式視線誘導標、支柱に設けられ、反射体が風力により回転する風力回転式視線誘導標が知られている。
【特許文献１】特開平７−２４３２０６号公報
【０００３】
上述した従来技術のうち、固定式視線誘導標は、所定方向からの光にしか反射しないという欠点や、単に道路の形状を示すだけで運転者の注意を喚起するという点ではあまり効果的でないという欠点がある。また、風力揺動式視線誘導標及び風力回転式視線誘導標は、無風時には反射体の動きが停止するために視線誘導標として機能しないという欠点があり、更に風力回転式視線誘導標は強風時には回転部分に大きな負担が掛るという構造的な問題がある。
【発明の開示】
【発明が解決しようとする課題】
【０００４】
本発明は上述した従来技術の諸欠点に鑑みなされたもので、無風時でも常時揺動するので運転者の注意を確実に喚起することができるし、反射面が揺動に伴って多様に変化するので注意喚起効果に優れており、また作動のために外部からの給電が不要であるから設置場所に自由度があるし、作動のためのランニングコストが掛らない反射式視線誘導標を提供することを目的とする。
【課題を解決するための手段】
【０００５】
上述した課題を解決するために構成された本発明の手段は、道路に沿って所定の間隔で立設する支柱と、該支柱に設けられ、少なくとも前面側に透光窓が設けてある防水型ケーシングと、該ケーシング内に揺動可能に設けた揺動支持体と、該揺動支持体に搭載され、給電により自己起動して前記透光窓に対面する反射体を揺動させる駆動部を備えた反射体揺動機構と、該反射体揺動機構を駆動する電源とからなる。
【０００６】
そして、前記反射体は、前記透光窓に対面する反射面を反射シート又はホログラムシートにするとよい。このように構成することにより、反射体を軽量にできるし、変化のある反射光パターンを反射することができる。
【０００７】
また、前記電源には太陽電池を用いるとよい。これにより、設置の自由度が得られるし、ランニングコストを低減できると共に設置費を節減できる。
【発明の効果】
【０００８】
本発明は以上詳述した如く構成したから、下記の諸効果を奏する。
（１）反射体は、電源により作動する反射体揺動機構によって揺動させることにより、無風状態でも常時揺動して自動車等のヘッドライトを反射するようにしたから、運転者の注意を確実に喚起することができる。
（２）反射体揺動機構は、ケーシングに揺動可能に設けた揺動支持体に搭載して常に水平状態を保持するようにしたから、給電により自己起動して反射体を揺動させる駆動部を確実に作動させることができる。
（３）反射体に設けた反射シート又はホログラムシートは、揺動することにより反射光が多様に変化するから、自動車等のヘッドライトに対して確実に反射すると共に、運転者の注意を喚起する効果に優れている。
（４）反射体に設ける反射シート又はホログラムシートは、軽量であるから反射体揺動機構の駆動部の消費電力を少なくすることができる。
（５）反射体揺動機構の駆動電源に太陽電池を用いたから、反射体の作動のためのランニングコストが不要であるし、外部からの給電が不要であるから設置場所に自由度があると共に、設置費も低減することができる。
【発明を実施するための最良の形態】
【０００９】
以下、本発明の実施の形態を図面に基づき詳述する。図１乃至図３は第１の実施の形態を示す。図において、１は道路に沿って立設する支柱を示し、該支柱１は金属製或は合成樹脂製の角柱からなっている。２は該支柱１の上端に固着した金属製の防水型ケーシングを示し、該防水型ケーシング２は長方形の平板状に形成し、外面に支柱１の上端側を挿嵌するボス３Ａが突設してある底板３と、該底板３の両側縁から起立がり、高さ方向途中が外側に屈曲して上部側が膨出部４Ａ、４Ａになった側板４、４と、該側板４、４に連設した天板５と、電池嵌合穴６Ａ、７Ａを有し、前後両側の下半分を覆う前、後壁板６、７とによって前後両側の上半分に透光窓の開口部８、８を有する箱形に構成し、該各開口部８を透明樹脂板９、９で液密に閉塞したものからなっている。
【００１０】
１１は前記ケーシング２内に揺動可能に吊下した金属製又は合成樹脂製の揺動支持体を示す。該揺動支持体１１は、前後一対の支持板１２、１３と、該一対の支持板１２、１３の下端に連結した平板状の下側連結板１４と、該下側連結板１４に設けた垂直保持用の錘１５と、略ハ字状に拡開した左右の傾斜片１６Ａ、１６Ａ（但し、一方のみ図示。）の上端を上側片１６Ｂで連結し、上側中央に開口１６Ｃを形成した形状からなり、一対の支持板１２、１３の上端側に連結した上側連結板１６とから構成してある。そして、揺動支持体１１は、一対の支持板１２、１３の中央上側の位置で支持ピン１７、１７を介してケーシング２の前後壁部６、７に矢示イ、イ方向の左右方向に揺動可能に支持されている。
【００１１】
１８は前記揺動支持体１１に搭載した反射体揺動機構を示す。１９は該反射体揺動機構１８を構成する反射体で、該反射体１９は円形平板の着板部１９Ａと、該着板部１９Ａから下側に一体に突出した長方形の平板状をした振子部１９Ｂと、着板部１９Ａの反射面となる両面に貼着した反射シート１９Ｃ、１９Ｃとから構成してある。そして、反射体１９は振子部１９Ｂを揺動支持体１１の開口１６Ｃに遊嵌した状態で、回動ピン２０を介して揺動支持体１１の支持板１２、１３に矢示ロ、ロ方向の左右方向に揺動可能に支持されている。
【００１２】
２１は前記反射体１９を左右方向に揺動させるための駆動部を示す。該駆動部２１は通電により作動する駆動手段であればよいが、本実施の形態では、非安定マルチバイブレータ回路の発信電流で駆動コイル２１Ａを励磁し、該駆動コイル２１Ａと相対して反射体１９の振子部１９Ｂに設けた永久磁石２１Ｂに電磁力をおよぼし、該永久磁石２１Ｂと駆動コイル２１Ａとに相対的に働く電磁力により任意の復元力系を有し、反射体１９を励振させる自己起動型の駆動部を用いている。この駆動手段としては、例えば特許第２９３７２８７号公報に開示されている揺動装置を用いることができる。
【００１３】
２２、２２は前記駆動部２１に給電して駆動させるための一対の太陽電池で、該太陽電池２２、２２はケーシング２の前、後壁部６、７に設けた電池嵌合穴６Ａ、７Ａに装着してある。そして、各太陽電池２２により発電した電力は電気化学キャパシタに蓄電することにより、発電が停止する夜間でも反射体１９が長時間作動するようにしている。なお、太陽電池の電圧を検出して、反射体１９を夜間のみ動作させたり、昼間のみ動作させるようにしてもよい。
【００１４】
本実施の形態に係る反射式視線誘導標は上述の構成からなり、道路の路肩近傍に道路に沿って所定の間隔で設置して使用する点は、従来技術の視線誘導標と異なるところはない。しかし、本実施の形態の反射視線誘導標は、反射体１９を電源で作動する駆動部２１により常時揺動させるようにしたから、反射体が固定式や風力回転式等の視線誘導標と異なって、運転者の注意を確実に喚起させることができる。
【００１５】
また、反射体揺動機構１８には太陽電池２２からの給電により自動的に作動を開始する自己起動型の駆動部２１を用いたから、始動と停止のために遠隔操作やタイマー等の付加的手段が不要であるので機構を単純化できるし、故障のリスクも低減できる点で優れている。また、標準電波を利用する視線誘導標と比較しても機構が簡単で消費電力も少ないという利点があるし、風力を利用する視線誘導標とは異なって、一定しない風力を受ける回転部分がないので耐久性にも優れている。
【００１６】
但し、自己起動型の駆動部２１を用いた反射体揺動機構１８は水平な状態でなければ作動しないことから、反射体揺動機構１８は錘１５によって垂直状態を保持する揺動支持体１１に搭載し、揺動支持体１１はケーシング２に揺動可能に軸支する構成にすることにより、支柱１が垂直でない場合にも対応することができるようにしてある。
【００１７】
なお、本実施の形態において、反射体１９は着板部１９Ａの両面に反射シート１９Ｃ、１９Ｃを貼着したが、自動車の進行方向に対向する面にのみ貼着してもよい。
【００１８】
次に、第２の実施の形態に係る反射式視線誘導標ついて、図４及び図５に基づき説明する。なお、前述した第１の実施の形態に係る反射式視線誘導標の構成要素と同一の構成要素には同一の符号を付して援用し、その説明を省略する。図において、３１は支柱１の上端に固着した合成樹脂製の防水型ケーシングを示し、該防水型ケーシング３１は長方形の平板状に形成し、外面に支柱１の上端側を挿嵌するボス３２Ａが突設してある底板３２と、該底板３２の長手方向両縁から起立がり、高さ方向途中が外側に膨出し、下部側に電池嵌合穴３３Ａ、３４Ａを有する前側板３３及び後側板３４と、該前側板３３及び後側板３４の上部側に夫々形成してある透光窓となる開口部３５、３５と、底板３２の両側縁から起立し、高さ方向途中が外側に屈曲して上部側が膨出部３６Ａ、３６Ａになった側板３６、３６と、該側板３６、３６に連設した天板３７とから構成し、各開口部３５、３５を透明樹脂板３８、３８で液密に閉塞したものからなっている。
【００１９】
３９はケーシング３１内に揺動可能に吊下した揺動支持体を示す。該揺動支持体３９は、左右一対の支持板４０、４０と、下側連結板４１と、垂直保持用の錘４２と、傾斜片４３Ａ、４３Ａ及び上側片４３Ｂからなり、開口４３Ｃを有する側連結板４３とから構成してあり、第１の実施の形態の揺動支持体１１と構成において異なるところはない。しかし、揺動支持体３９は、一対の支持板４０、４０の中央上側の位置で支持ピン４４、４４を介してケーシング３１の側板３６、３６に矢示ハ、ハ方向の前後方向に揺動可能に支持されている点で、第１の実施の形態の揺動支持体１１と異なる。
【００２０】
４５は前記揺動支持体３９に搭載した反射体揺動機構を示す。４６は該反射体揺動機構４５を構成する反射体で、該反射体４６は四角形の平板からなる着板部４６Ａと、該着板部４６Ａから下側に一体に突出した長方形の平板状をした振子部４６Ｂと、着板部４６Ａの反射面となる両面に貼着したホログラムシート４６Ｃ、４６Ｃとから構成してある。そして、反射体４６は回動ピン２０を介して揺動支持体３９の支持板４０、４０に矢示ニ、ニ方向の前後方向に揺動可能に支持されている。
【００２１】
そして、上述した反射体４６は、第１の実施の形態の駆動部２１と同様に、揺動支持体３９に設けた駆動コイル２１Ａと、反射体４６の振子部４６Ｂに設けた永久磁石２１Ｂとから構成した駆動部２１によって、前方向に揺動するようになっている。そして、該駆動部２１はケーシング３１に設けた太陽電池２２、２２が発電した電力によって、駆動するようになっている。
【００２２】
本実施の形態からなる反射式視線誘導標は上述の構成からなり、その基本的作動は第１の実施の形態の反射式視線誘導標と異なるところはないが、反射体４６はケーシング３１の前後方向に揺動する点、反射体４６の反射面にホログラムシート４６Ｃを設けた点で、第１の実施の形態の反射式視線誘導標と異なる。このような構成により、反射体４６は大きな反射面を有することができる。また、反射体４６に設けたホログラムシート４６Ｃは前後方向に揺動することにより、ホログラムシート４６Ｃに特有の変化する反射光を運転者に目視させることができるから、運転者の注意喚起には極めて効果的である。
【００２３】
また、ホログラムシート４６Ｃは軽量であるから駆動部２１の消費電力を少なくする利点がある。更に、ホログラムシート４６Ｃの反射光パターンはシート毎に異なるものにすることができるから、視線誘導標毎に反射光パターンが異なるホログラムシート４６Ｃを用いることにより、運転者の注意をより一層確実に喚起することができる。
【００２４】
なお、本発明の反射式視線誘導標は、路肩に設置して自動車等の走行安全を図るだけでなく、可搬性を有しているから例えばイベント会場等の種々の分野で注意喚起の手段として利用できるものである。
【図面の簡単な説明】
【００２５】
【図１】図１乃至図３は本発明の第１の実施の形態に係り、図１は反射式視線誘導標の外観を示す正面図である。
【図２】反射式視線誘導標の内部構成を示す正面図である。
【図３】反射式視線誘導標の内部構成を示す側面図である。
【図４】図４及び図５は第２の実施の形態に係り、図４は反射式視線誘導標の内部構成を示す正面図である。
【図５】反射式視線誘導標の内部構成を示す側面図である。
【符号の説明】
【００２６】
１            支柱
２、３１      ケーシング
８、３５      開口部
１１、３９    揺動支持体
１８、４５    反射体揺動機構
１９、４６    反射体
１９Ｃ        反射シート
２１          駆動部
２２          太陽電池
４６Ｃ        ホログラムシート
【図１】
2005163359.tif 000003
【図２】
2005163359.tif 000004
【図３】
2005163359.tif 000005
【図４】
2005163359.tif 000006
【図５】
2005163359.tif 000007